(57)【要約】【課題】ワイヤにコーティング剤を塗布することなく、リールに巻回されたワイヤの緩みを防止することが可能な技術を提供する。【解決手段】本明細書は、リールと、リールに巻回されたワイヤを備える鉄筋結束機用ワイヤリールを開示する。鉄筋結束機用ワイヤリールは、後に巻回されたワイヤが、先に巻回されたワイヤより沈み込むことで、後に巻回されたワイヤと先に巻回されたワイヤが係合する係合部を有する。本明細書は、鉄筋結束機用ワイヤリールの製造方法も開示する。その製造方法は、ワイヤの一端をリールに固定する工程と、リールを回転させながらワイヤを送り出すことで、リールにワイヤを巻回する工程と、リールを回転させながらワイヤの送り出しを停止することで、後に巻回されたワイヤを、先に巻回されたワイヤより沈み込ませて、後に巻回されたワイヤと先に巻回されたワイヤを係合させる工程を備えている。【選択図】図１７
2019007168.tif 000002
【特許請求の範囲】
【請求項１】
リールと、前記リールに巻回されたワイヤを備える鉄筋結束機用ワイヤリールであって、
後に巻回された前記ワイヤが、先に巻回された前記ワイヤより沈み込むことで、後に巻回された前記ワイヤと先に巻回された前記ワイヤが係合する係合部を有する、鉄筋結束機用ワイヤリール。
【請求項２】
前記リールが、前記ワイヤが巻回される胴部と、前記胴部の両端に設けられた鍔部を備えている、請求項１の鉄筋結束機用ワイヤリール。
【請求項３】
前記係合部において、後に巻回された前記ワイヤが、先に巻回された前記ワイヤと、前記鍔部に係合する、請求項２の鉄筋結束機用ワイヤリール。
【請求項４】
前記鍔部の少なくとも一部が、弾性材料からなる、請求項２または３の鉄筋結束機用ワイヤリール。
【請求項５】
前記ワイヤの先端から前記ワイヤの前記係合部までの長さが、所定長さ以上である、請求項１から４の何れか一項の鉄筋結束機用ワイヤリール。
【請求項６】
リールと、前記リールに巻回されたワイヤを備える鉄筋結束機用ワイヤリールの製造方法であって、
前記ワイヤの一端を前記リールに固定する工程と、
前記リールを回転させながら前記ワイヤを送り出すことで、前記リールに前記ワイヤを巻回する工程と、
前記リールを回転させながら前記ワイヤの送り出しを停止することで、後に巻回された前記ワイヤを、先に巻回された前記ワイヤより沈み込ませて、後に巻回された前記ワイヤと先に巻回された前記ワイヤを係合させる工程を備える、鉄筋結束機用ワイヤリールの製造方法。
【発明の詳細な説明】
【技術分野】
【０００１】
本明細書で開示する技術は、鉄筋結束機用ワイヤリールおよび鉄筋結束機用ワイヤリールの製造方法に関する。
【背景技術】
【０００２】
特許文献１には、リールと、リールに巻回されたワイヤを備える鉄筋結束機用ワイヤリールが開示されている。このワイヤリールでは、ワイヤに粘着性のあるコーティング剤を塗布した後にワイヤを巻回することで、リールに巻回されたワイヤの緩みを防止している。
【先行技術文献】
【特許文献】
【０００３】
【特許文献１】特開平１１−１５９１４５号公報
【発明の概要】
【発明が解決しようとする課題】
【０００４】
上記のワイヤリールを鉄筋結束機で使用する場合、ワイヤリールからワイヤを送り出すワイヤ送り機構や、ワイヤを案内するワイヤ案内機構などで、ワイヤのコーティング剤が剥がれ落ちてしまい、コーティング剤の剥離片が堆積したり、鉄筋結束機の内部に侵入したりするおそれがある。ワイヤにコーティング剤を塗布することなく、リールに巻回されたワイヤの緩みを防止することが可能な技術が期待されている。
【課題を解決するための手段】
【０００５】
本明細書は、リールと、リールに巻回されたワイヤを備える鉄筋結束機用ワイヤリールを開示する。鉄筋結束機用ワイヤリールは、後に巻回されたワイヤが、先に巻回されたワイヤより沈み込むことで、後に巻回されたワイヤと先に巻回されたワイヤが係合する係合部を有する。
【０００６】
上記の構成によれば、係合部において、後に巻回されたワイヤが、先に巻回されたワイヤと係合しており、リールから離れる方向に移動することが禁止されるので、リールに巻回されたワイヤが緩んでしまうことを防止することができる。上記の構成によれば、ワイヤにコーティング剤を塗布することなく、リールに巻回されたワイヤの緩みを防止することができる。
【０００７】
本明細書は、リールと、リールに巻回されたワイヤを備える鉄筋結束機用ワイヤリールの製造方法も開示する。その製造方法は、ワイヤの一端をリールに固定する工程と、リールを回転させながらワイヤを送り出すことで、リールにワイヤを巻回する工程と、リールを回転させながらワイヤの送り出しを停止することで、後に巻回されたワイヤを、先に巻回されたワイヤより沈み込ませて、後に巻回されたワイヤと先に巻回されたワイヤを係合させる工程を備えている。
【０００８】
上記の製造方法によれば、リールを回転させながらワイヤを送り出して、リールにワイヤを巻回した後に、リールを回転させながらワイヤの送り出しを停止することで、ワイヤに大きな張力を作用させて、それによって、後に巻回されたワイヤを、先に巻回されたワイヤより沈み込ませて、後に巻回されたワイヤと先に巻回されたワイヤを係合させることができる。上記の製造方法によれば、ワイヤにコーティング剤を塗布することなく、リールに巻回されたワイヤの緩みを防止することができる。
【図面の簡単な説明】
【０００９】
【図１】実施例のワイヤリール９が使用される鉄筋結束機２を左上後方から見た斜視図である。
【図２】実施例のワイヤリール９が使用される鉄筋結束機２を右上後方から見た斜視図である。
【図３】実施例のワイヤリール９が使用される鉄筋結束機２の結束機本体４の内部構造を右上後方から見た斜視図である。
【図４】実施例のワイヤリール９が使用される鉄筋結束機２のワイヤ送り機構３２を左上前方から見た斜視図である。
【図５】実施例のワイヤリール９が使用される鉄筋結束機２の結束機本体４の内部構造を左方から見た断面図である。
【図６】実施例のワイヤリール９が使用される鉄筋結束機２の結束機本体４の内部構造を左前方から見た斜視図である。
【図７】実施例のワイヤリール９が使用される鉄筋結束機２のリール支持機構３０を左上後方から見た斜視図である。
【図８】実施例のワイヤリール９が使用される鉄筋結束機２のリール支持機構３０を右上後方から見た斜視図である。
【図９】実施例のワイヤリール９が使用される鉄筋結束機２のカバー１１６を左上後方から見た斜視図である。
【図１０】実施例のワイヤリール９が使用される鉄筋結束機２のリール支持機構３０のカバー１１６が完全に閉じた状態の内部構造を上方から見た断面図である。
【図１１】実施例のワイヤリール９が使用される鉄筋結束機２の左アウタハウジング１４と中継部材１０４を左上後方から見た斜視図である。
【図１２】実施例のワイヤリール９が使用される鉄筋結束機２のリール支持機構３０のカバー１１６が完全に閉じた状態を左上後方から見た斜視図である。
【図１３】実施例のワイヤリール９が使用される鉄筋結束機２のリール支持機構３０のカバー１１６が少し開いた状態を左上後方から見た斜視図である。
【図１４】実施例のワイヤリール９が使用される鉄筋結束機２のリール支持機構３０のカバー１１６がさらに開いた状態を左上後方から見た斜視図である。
【図１５】実施例のワイヤリール９が使用される鉄筋結束機２のリール支持機構３０のカバー１１６が完全に開いた状態を左上後方から見た斜視図である。
【図１６】実施例のワイヤリール９が使用される鉄筋結束機２のリール支持機構３０のカバー１１６が完全に開いた状態の内部構造を上方から見た断面図である。
【図１７】実施例のワイヤリール９が鉄筋結束機２に装着される前の状態を示す斜視図である。
【図１８】実施例のワイヤリール９のリール１０の構成を示す斜視図である。
【図１９】実施例のワイヤリール９において、ワイヤ１１の一層目がリール１０に巻回される様子を示す断面図である。
【図２０】実施例のワイヤリール９において、ワイヤ１１の二層目がリール１０に巻回される様子を示す断面図である。
【図２１】実施例のワイヤリール９を製造する様子を示す斜視図である。
【図２２】実施例のワイヤリール９において、ワイヤ１１の係合部１１ｂを形成する様子を示す断面図である。
【図２３】実施例のワイヤリール９において、ワイヤ１１の係合部１１ｂを形成する様子を示す断面図である。
【発明を実施するための形態】
【００１０】
１つまたはそれ以上の実施形態において、リールは、ワイヤが巻回される胴部と、胴部の両端に設けられた鍔部を備えていてもよい。
【００１１】
上記の構成によれば、胴部に巻回されたワイヤの胴部に沿う方向への移動が、両側の鍔部によって規制されるので、後に巻回されたワイヤを先に巻回されたワイヤより沈み込ませた時に、後に巻回されたワイヤと先に巻回されたワイヤを確実に係合させることができる。
【００１２】
１つまたはそれ以上の実施形態では、係合部において、後に巻回されたワイヤが、先に巻回されたワイヤと、鍔部に係合していてもよい。
【００１３】
上記の構成によれば、後に巻回されたワイヤを先に巻回されたワイヤより沈み込ませる際に、鍔部をガイドとして利用することができ、後に巻回されたワイヤを先に巻回されたワイヤより沈み込ませることが容易となる。
【００１４】
１つまたはそれ以上の実施形態において、鍔部の少なくとも一部は、弾性材料からなってもよい。
【００１５】
上記の構成によれば、鍔部が弾性変形することで、後に巻回されたワイヤを先に巻回されたワイヤより沈み込ませることが容易となる。また、上記の構成によれば、鍔部の弾性復元力によって、後に巻回されたワイヤと先に巻回されたワイヤの係合が維持されるので、リールに巻回されたワイヤの緩みをより確実に防止することができる。
【００１６】
１つまたはそれ以上の実施形態において、ワイヤの先端からワイヤの係合部までの長さは、所定長さ以上であってもよい。
【００１７】
上記の構成では、ワイヤの先端からワイヤの係合部までの長さを、例えば、使用者が鉄筋結束機にリールおよびワイヤをセットする作業において引き出す必要があるワイヤの長さより長くしておくことで、使用者が鉄筋結束機にリールおよびワイヤをセットする作業を行っている間に、ワイヤが緩んでしまうことを防止することができる。
【００１８】
（実施例）
図１７に示す本実施例のワイヤリール９は、リール１０と、リール１０に巻回されたワイヤ１１を備えている。ワイヤリール９は、図１に示す鉄筋結束機２に装着されて使用される。鉄筋結束機２は、複数の鉄筋Ｒをワイヤ１１によって結束するための電動工具である。
【００１９】
図１、図２に示すように、鉄筋結束機２は、結束機本体４と、結束機本体４の下部に設けられたグリップ６と、グリップ６の下部に設けられたバッテリ取り付け部８を備えている。グリップ６の前方上部には、トリガ７が設けられている。バッテリ取り付け部８の下部には、バッテリＢが着脱可能に取り付けられている。結束機本体４と、グリップ６と、バッテリ取り付け部８は、右アウタハウジング１２と、左アウタハウジング１４を組み合わせることにより、一体的に形成されている。また、結束機本体４は、右アウタハウジング１２と左アウタハウジング１４の間に、インナハウジング１６を備えている。右アウタハウジング１２、左アウタハウジング１４およびインナハウジング１６は、それぞれハウジングプレートということができる。結束機本体４の上面には、第１操作表示部１８が設けられている。第１操作表示部１８には、鉄筋結束機２の電源のオン／オフを切り換えるメインスイッチ２０および鉄筋結束機２の電源のオン／オフの状態を表示する主電源ＬＥＤ２２が設けられている。バッテリ取り付け部８の前方上面には、第２操作表示部２４が設けられている。第２操作表示部２４には、ワイヤ１１の送り出し量や捩り強さなどを設定する設定ボタン２６および設定ボタン２６によって設定された内容を表示する表示部２８が設けられている。バッテリＢ、トリガ７、第１操作表示部１８および第２操作表示部２４は、後述する制御基板１３４に接続されている。
【００２０】
図３−図６に示すように、結束機本体４は、主に、リール支持機構３０（図３参照）と、ワイヤ送り機構３２（図３、図４参照）と、ワイヤ案内機構３４（図５、図６参照）と、ブレーキ機構３６（図３参照）と、ワイヤ切断機構３８（図５参照）と、ワイヤ捩り機構４０（図５、図６参照）と、制御基板１３４（図３、図５、図６参照）を備えている。なお、図示の明瞭化のため、図３では、右アウタハウジング１２、カバー１１６（詳細は後述する）の図示を省略しており、図４では、カバー１１６の図示を省略しており、図６では、左アウタハウジング１４、カバー１１６の図示を省略している。また、図３−図６では、鉄筋結束機２の内部の配線の図示も省略している。制御基板１３４は、結束機本体４の中央下部にインナハウジング１６を跨いで配置されている。制御基板１３４の一部は、インナハウジング１６から見て一方の側（右アウタハウジング１２側）に配置されており、制御基板１３４の別の一部は、インナハウジング１６から見て他方の側（左アウタハウジング１４側）に配置されている。
【００２１】
図３に示すリール支持機構３０は、リール１０を着脱可能に支持する第１状態と、リール１０を着脱不能に支持する第２状態の間で切換可能である。リール支持機構３０の詳細については、後述する。
【００２２】
図３、図４に示すワイヤ送り機構３２は、第２状態のリール支持機構３０（図３参照）に支持されたリール１０から供給されるワイヤ１１を、結束機本体４の前方のワイヤ案内機構３４（図５、図６参照）へと送り出す。ワイヤ送り機構３２は、ガイド部材４２と、ベース部材４３と、送りモータ４４と、主動ギヤ４６と、減速機構４７と、従動ギヤ４８と、リリースレバー５０と、圧縮バネ５２と、レバーホルダ５４と、固定レバー５６を備えている。ガイド部材４２は、後端が広く先端が狭い円錐台形状の貫通孔４２ａを備えている。ガイド部材４２は、ベース部材４３に固定されている。主動ギヤ４６と従動ギヤ４８は、ガイド部材４２よりも前方に配置されている。主動ギヤ４６は、減速機構４７を介して送りモータ４４に連結されており、送りモータ４４の駆動によって回転する。送りモータ４４は、図示しない配線によって制御基板１３４に接続されている。制御基板１３４は、送りモータ４４の動作を制御することができる。主動ギヤ４６の側面には、高さ方向中央で周方向に伸びるＶ字形状溝４６ａが形成されている。図４に示すように、従動ギヤ４８は、リリースレバー５０のギヤアーム５０ａに回転可能に支持されている。従動ギヤ４８の側面には、高さ方向中央で周方向に伸びるＶ字形状溝４８ａが形成されている。リリースレバー５０は、ギヤアーム５０ａと、操作アーム５０ｂを備える、略Ｌ字型の部材である。リリースレバー５０は、揺動軸５０ｃを介してベース部材４３に揺動可能に支持されている。リリースレバー５０の操作アーム５０ｂは、圧縮バネ５２を介してレバーホルダ５４のバネ受け部５４ａに連結している。レバーホルダ５４は、インナハウジング１６と左アウタハウジング１４に挟み込まれて固定されている。圧縮バネ５２は、操作アーム５０ｂをバネ受け部５４ａから離れる方向に付勢する。通常時は、圧縮バネ５２の付勢力によって、リリースレバー５０に従動ギヤ４８を主動ギヤ４６に近づける方向のトルクが作用し、従動ギヤ４８が主動ギヤ４６に押し当てられている。これによって、従動ギヤ４８の側面の歯と主動ギヤ４６の側面の歯が係合するとともに、主動ギヤ４６のＶ字形状溝４６ａと従動ギヤ４８のＶ字形状溝４８ａの間に、ワイヤ１１が挟持される。この状態で、送りモータ４４が主動ギヤ４６を回転させると、従動ギヤ４８が逆方向に回転するとともに、主動ギヤ４６と従動ギヤ４８により挟持されたワイヤ１１がワイヤ案内機構３４へと送り出され、リール１０からワイヤ１１が引き出される。
【００２３】
固定レバー５６は、揺動軸５６ａを介してレバーホルダ５４に揺動可能に支持されている。固定レバー５６は、図示しない捩りバネによって、リリースレバー５０の操作アーム５０ｂに当接する方向に付勢されている。固定レバー５６には、リリースレバー５０の操作アーム５０ｂの先端と係合する凹部５６ｂが形成されている。
【００２４】
鉄筋結束機２の使用者が、圧縮バネ５２の付勢力に抗して操作アーム５０ｂを押し込むと、リリースレバー５０が揺動軸５０ｃの周りで揺動して、従動ギヤ４８が主動ギヤ４６から離反する。この際に、固定レバー５６が揺動軸５６ａの周りで揺動して、操作アーム５０ｂの先端が凹部５６ｂに係合することで、操作アーム５０ｂは押し込まれた状態で保持される。リール１０に巻回されたワイヤ１１をワイヤ送り機構３２にセットする際には、使用者は、操作アーム５０ｂを押し込んで従動ギヤ４８を主動ギヤ４６から離反させ、その状態でリール１０から引き出したワイヤ１１の先端１１ａをガイド部材４２の貫通孔４２ａを通して主動ギヤ４６と従動ギヤ４８の間に配置させる。そして、使用者が固定レバー５６を操作アーム５０ｂから離反する方向に揺動させると、リリースレバー５０が揺動軸５０ｃの周りで揺動して、従動ギヤ４８が主動ギヤ４６に係合するとともに、主動ギヤ４６のＶ字形状溝４６ａと従動ギヤ４８のＶ字形状溝４８ａの間にワイヤ１１が挟持される。
【００２５】
図５、図６に示すワイヤ案内機構３４は、ワイヤ送り機構３２から送られたワイヤ１１を、鉄筋Ｒの周囲に円環状に案内する。ワイヤ案内機構３４は、案内パイプ５８と、上側カールガイド６０と、下側カールガイド６２を備えている。案内パイプ５８の後方側の端部は、主動ギヤ４６と従動ギヤ４８の間に向けて開口している。ワイヤ送り機構３２から送られたワイヤ１１は、案内パイプ５８の内部へと送り込まれる。案内パイプ５８の前方側の端部は、上側カールガイド６０の内部に向けて開口している。上側カールガイド６０には、案内パイプ５８から送られるワイヤ１１を案内するための第１案内通路６４と、下側カールガイド６２から送られるワイヤ１１を案内するための第２案内通路６６（図６参照）が設けられている。
【００２６】
図５に示すように、第１案内通路６４には、ワイヤ１１に下向きの巻きぐせをつけるようにワイヤ１１を案内する複数の案内ピン６８と、後述するワイヤ切断機構３８の一部を構成するカッタ７０が設けられている。案内パイプ５８から送られたワイヤ１１は、第１案内通路６４において案内ピン６８で案内され、カッタ７０を通過して、上側カールガイド６０の前端から下側カールガイド６２に向けて送られる。なお、カッタ７０を通過した後のワイヤ１１は、使用者が上側カールガイド６０を下方から覗き込むことで視認可能である。
【００２７】
図６に示すように、下側カールガイド６２には、第３案内通路７２が設けられている。第３案内通路７２は、上側カールガイド６０の前端から送られたワイヤ１１を案内する右側案内壁７２ａおよび左側案内壁７２ｂを備えている。下側カールガイド６２により案内されたワイヤ１１は、上側カールガイド６０の第２案内通路６６の後端に向けて送られる。
【００２８】
上側カールガイド６０の第２案内通路６６には、下側カールガイド６２から送られたワイヤ１１を案内して、上側カールガイド６０の前端から下側カールガイド６２に向けて送る、上側案内壁７４が設けられている。
【００２９】
上側カールガイド６０と下側カールガイド６２によって、ワイヤ送り機構３２から送られたワイヤ１１は、鉄筋Ｒの周囲に円環状に巻回される。ワイヤ送り機構３２は、使用者によって設定されたワイヤ１１の送り出し量だけワイヤ１１を送り出すと、送りモータ４４を停止してワイヤ１１の送り出しを停止する。
【００３０】
図３に示すブレーキ機構３６は、ワイヤ送り機構３２がワイヤ１１の送り出しを停止するのと連動して、リール１０の回転を停止する。ブレーキ機構３６は、ソレノイド７６と、リンク７８と、ブレーキアーム８０と、捩りバネ８１を備えている。ブレーキ機構３６のソレノイド７６は、図示しない配線によって制御基板１３４に接続されている。制御基板１３４は、ブレーキ機構３６の動作を制御することができる。リール１０には、ブレーキアーム８０が係合する係合部１０ａが、周方向に所定の角度間隔で形成されている。ソレノイド７６への通電がされていない状態では、捩りバネ８１の付勢力によってブレーキアーム８０がリール１０の係合部１０ａから離反している。ソレノイド７６への通電がされた状態では、リンク７８を介してブレーキアーム８０が捩りバネ８１の付勢力に抗して回動し、ブレーキアーム８０がリール１０の係合部１０ａに係合する。ブレーキ機構３６は、ワイヤ送り機構３２がワイヤ１１の送り出しを行なう際には、ソレノイド７６へ通電せずに、ブレーキアーム８０をリール１０の係合部１０ａから離反させている。これにより、リール１０は自由に回転することができ、ワイヤ送り機構３２はリール１０からワイヤ１１を引き出すことができる。また、ブレーキ機構３６は、ワイヤ送り機構３２がワイヤ１１の送り出しを停止する際には、ソレノイド７６へ通電して、ブレーキアーム８０をリール１０の係合部１０ａに係合させる。これにより、リール１０の回転が禁止される。これによって、ワイヤ送り機構３２がワイヤ１１の送り出しを停止した後も、リール１０が慣性により回転し続け、リール１０とワイヤ送り機構３２の間でワイヤ１１が弛緩してしまうことを防ぐことができる。
【００３１】
図５に示すワイヤ切断機構３８は、ワイヤ１１を鉄筋Ｒの周囲に巻回した状態で、ワイヤ１１を切断する。ワイヤ切断機構３８は、カッタ７０と、リンク８２を備えている。リンク８２は、後述するワイヤ捩り機構４０と連動して、カッタ７０を回転させる。カッタ７０が回転することによって、カッタ７０の内部を通過するワイヤ１１が切断される。
【００３２】
図６に示すワイヤ捩り機構４０は、鉄筋Ｒの周囲に巻回されたワイヤ１１を捩ることで、鉄筋Ｒをワイヤ１１で結束する。ワイヤ捩り機構４０は、捩りモータ８４と、減速機構８６と、スクリューシャフト８８（図５参照）と、スリーブ９０と、一対のフック９２を備えている。
【００３３】
捩りモータ８４の回転は、減速機構８６を介して、スクリューシャフト８８に伝達される。捩りモータ８４は、順方向および逆方向に回転可能であり、それに応じて、スクリューシャフト８８も、順方向および逆方向に回転可能である。捩りモータ８４は、図示しない配線によって制御基板１３４に接続されている。制御基板１３４は、捩りモータ８４の動作を制御することができる。スリーブ９０はスクリューシャフト８８の周囲を覆うように配置されている。スリーブ９０の回転が禁止されている状態では、スクリューシャフト８８が順方向に回転すると、スリーブ９０が前方に向けて移動し、スクリューシャフト８８が逆方向に回転すると、スリーブ９０が後方に向けて移動する。また、スリーブ９０の回転が許容されている状態で、スクリューシャフト８８が回転すると、スリーブ９０はスクリューシャフト８８と共に回転する。また、スリーブ９０が初期位置から所定の位置まで前進すると、ワイヤ切断機構３８のリンク８２がカッタ７０を回転させる。一対のフック９２はスリーブ９０の前端に設けられており、スリーブ９０の前後方向の位置に応じて開閉する。スリーブ９０が前方に移動すると、一対のフック９２が閉じて、ワイヤ１１を把持する。逆に、スリーブ９０が後方に移動すると、一対のフック９２が開いて、ワイヤ１１を解放する。
【００３４】
ワイヤ捩り機構４０は、鉄筋Ｒの周囲にワイヤ１１が巻回された状態で、捩りモータ８４を回転させる。この際、スリーブ９０の回転は禁止されており、スクリューシャフト８８の回転によってスリーブ９０が前進するとともに一対のフック９２が前進し、一対のフック９２が閉じてワイヤ１１を把持する。そして、スリーブ９０の回転が許容されると、スクリューシャフト８８の回転によってスリーブ９０が回転するとともに一対のフック９２が回転する。これによって、ワイヤ１１が捩られて、鉄筋Ｒが結束される。ワイヤ１１の捩り強さは、使用者が予め設定しておくことができる。ワイヤ捩り機構４０は、設定された捩り強さまでワイヤ１１を捩ると、捩りモータ８４を逆方向に回転させる。この際、スリーブ９０の回転は禁止されており、スクリューシャフト８８の回転によってスリーブ９０が後退するとともに一対のフック９２が開きながら後退して、ワイヤ１１が解放される。その後、初期位置まで一対のフック９２が後退するとともに、スリーブ９０の回転が許容されて、一対のフック９２が初期角度に戻る。
【００３５】
図１に示すように、使用者が、上側カールガイド６０と下側カールガイド６２の間に複数の鉄筋Ｒが位置するように鉄筋結束機２を配置して、トリガ７を引き操作すると、鉄筋結束機２は、ワイヤ送り機構３２、ワイヤ案内機構３４およびブレーキ機構３６によって、ワイヤ１１を鉄筋Ｒの周囲に巻回するとともに、ワイヤ切断機構３８およびワイヤ捩り機構４０によって、ワイヤ１１を切断して、鉄筋Ｒに巻回されたワイヤ１１を捩る、一連の動作を実行する。
【００３６】
以下ではリール支持機構３０の詳細について説明する。図７−図１１に示すように、リール支持機構３０は、リール装填室９４と、固定軸受部９６と、カバー保持部９８と、可動軸受部１００と、カバー１１６（図９参照）を備えている。なお、図示の明瞭化のために、図７、図８では、ワイヤリール９、カバー１１６の図示を省略している。
【００３７】
リール装填室９４は、内部にワイヤリール９を載置可能な形状に形成されている。リール装填室９４は上方が開口しており、上方からワイヤリール９を出し入れ可能である。リール装填室９４の前面は、インナハウジング１６によって規定されている。リール装填室９４の右面は、右アウタハウジング１２と、インナハウジング１６によって規定されている。リール装填室９４の左面は、左アウタハウジング１４によって規定されている。リール装填室９４の後面および底面は、右アウタハウジング１２と、左アウタハウジング１４と、インナハウジング１６によって規定されている。結束機本体４の前後方向に関して、リール装填室９４の前面、底面および後面は、下に凸な円弧形状を形成している。このため、リール装填室９４にワイヤリール９を装填すると、ワイヤリール９はリール装填室９４の底面の最下部に載置される。
【００３８】
図７に示すように、固定軸受部９６は、リール装填室９４の右面からリール装填室９４の内部に突出するように配置されている。具体的には、固定軸受部９６は、インナハウジング１６の左アウタハウジング１４と対向する面に、左アウタハウジング１４に向けて突出するように配置されている。本実施例では、固定軸受部９６はインナハウジング１６と一体的に形成されている。固定軸受部９６は、円筒形状の外形を有している。固定軸受部９６の円筒形状の中心軸は、結束機本体４の左右方向と略一致している。固定軸受部９６の先端の角部は、テーパ形状を有している。図１０に示すように、リール１０の固定軸受部９６に対向する側の面の中央には、円筒形状の軸受溝１０ｂが形成されている。固定軸受部９６は、リール１０の軸受溝１０ｂに係合して、リール１０を回転可能に支持する。
【００３９】
図８に示すように、カバー保持部９８は、右アウタハウジング１２の外面に配置されている。本実施例では、カバー保持部９８は、右アウタハウジング１２と一体的に形成されている。カバー保持部９８は、円筒形状の外形を有している。カバー保持部９８の円筒形状の中心軸は、固定軸受部９６の円筒形状の中心軸と略一致している。
【００４０】
可動軸受部１００は、リール装填室９４の左面に配置されている。具体的には、可動軸受部１００は、左アウタハウジング１４を貫通するように配置されている。図１０に示すように、可動軸受部１００は、軸受部材１０２と、中継部材１０４と、カバー保持部材１０６と、圧縮バネ１０８を備えている。
【００４１】
図８に示すように、軸受部材１０２は、リール装填室９４の左面からリール装填室９４の内部に突出するように配置されている。軸受部材１０２は、円筒形状の外形を有している。軸受部材１０２の先端の角部は、テーパ形状を有している。軸受部材１０２の円筒形状の中心軸は、固定軸受部９６の円筒形状の中心軸と略一致している。なお、以下では、軸受部材１０２の円筒形状の中心軸を、可動軸受部１００の中心軸ともいう。図１０に示すように、リール１０の軸受部材１０２に対向する側の面の中央には、円筒形状の軸受溝１０ｃが形成されている。軸受部材１０２は、リール１０の軸受溝１０ｃに係合して、リール１０を回転可能に支持する。軸受部材１０２は、締結具１１０を介して中継部材１０４に固定されている。
【００４２】
図１１に示すように、中継部材１０４は、左アウタハウジング１４に形成された貫通穴１４ａを貫通して左アウタハウジング１４に支持されている。中継部材１０４は、可動軸受部１００の中心軸方向（すなわち、結束機本体４の左右方向）に摺動可能に、左アウタハウジング１４に支持されている。中継部材１０４の外側面には、可動軸受部１００の中心軸方向に沿って伸びる凸部１０４ａが形成されており、貫通穴１４ａには、凸部１０４ａに対応する凹部１４ｂが形成されている。このため、中継部材１０４は、可動軸受部１００の中心軸周り（すなわち、結束機本体４の左右方向周り）に回転不能に、左アウタハウジング１４に支持されている。図１０に示すように、中継部材１０４は、締結具１１２を介してカバー保持部材１０６に固定されている。
【００４３】
図７に示すように、カバー保持部材１０６は、左アウタハウジング１４の外側に配置されている。カバー保持部材１０６は、円筒形状の外形を有している。カバー保持部材１０６の円筒形状の中心軸は、軸受部材１０２の円筒形状の中心軸と略一致している。また、カバー保持部材１０６の円筒形状の外側面には、周方向に所定の角度間隔で、カム突起１０６ａが形成されている。
【００４４】
図１０に示すように、圧縮バネ１０８は、左アウタハウジング１４と軸受部材１０２を連結している。圧縮バネ１０８は、軸受部材１０２を、固定軸受部９６に近づく方向に付勢する。
【００４５】
図９に示すように、カバー１１６は、カバー本体１１６ａと、右側取付部１１６ｂと、左側取付部１１６ｃを備えている。カバー本体１１６ａは、リール装填室９４の上方と、ワイヤ送り機構３２の上方を覆う形状に形成されている。より具体的には、カバー本体１１６ａは、リール装填室９４内のワイヤリール９と、ワイヤ送り機構３２のガイド部材４２、ベース部材４３、主動ギヤ４６、従動ギヤ４８を、上方で覆う形状に形成されている。カバー本体１１６ａがリール装填室９４の上方を覆うことによって、ワイヤ１１が弛緩してリール１０から外れてしまうことを防ぐとともに、外部から水、塵、砂などがリール装填室９４内に侵入することを防ぐことができる。カバー本体１１６ａがワイヤ送り機構３２の上方を覆うことによって、外部から水、塵、砂などがワイヤ送り機構３２に侵入することを防ぐことができる。カバー本体１１６ａは、鉄筋結束機２の使用者がカバー１１６の開閉操作をしやすいように、左右から掴みやすい形状に形成されている。なお、カバー本体１１６ａに、使用者がカバー１１６を後方に引き起こす際に指を掛ける凸部または凹部が形成されていてもよい。また、カバー本体１１６ａは、カバー１１６を閉じた状態であっても使用者がワイヤリール９の状態を外部から視認できるように、透明な材料によって形成されている。
【００４６】
右側取付部１１６ｂは、図８に示すカバー保持部９８の外側面に摺動可能に取付可能な円環形状に形成されている。左側取付部１１６ｃは、図７に示す可動軸受部１００のカバー保持部材１０６の外側面に摺動可能に取付可能な円環形状に形成されている。また、左側取付部１１６ｃには、カバー保持部材１０６のカム突起１０６ａに対応して、周方向に所定の角度間隔で、カム溝１１６ｄが形成されている。カム溝１１６ｄは、カバー１１６が完全に閉じた状態のときに、カム突起１０６ａが完全に内部に入り込む位置および形状に形成されている。また、カム溝１１６ｄは、カバー１１６が完全に開いた状態のときに、カム突起１０６ａから外れた位置となるように配置されている。カム突起１０６ａとカム溝１１６ｄは、カム機構を構成している。
【００４７】
図１２に示すように、カバー１１６が完全に閉じた状態においては、圧縮バネ１０８によって、軸受部材１０２と、中継部材１０４と、カバー保持部材１０６に、結束機本体４の右方向（すなわち、固定軸受部９６に近づく方向）に向けた付勢力が作用しており、カム突起１０６ａをカム溝１１６ｄの内部に押し込む方向の力が作用している。すなわち、カバー１１６が閉じた状態においては、圧縮バネ１０８の付勢力によって、カバー１１６を閉じた状態が維持されている。この状態から、鉄筋結束機２の使用者が、カバー本体１１６ａを掴んで、圧縮バネ１０８の付勢力に抗してカバー本体１１６ａを後方に引き起こすと、右側取付部１１６ｂがカバー保持部９８に対して摺動しながら回動するとともに、左側取付部１１６ｃがカバー保持部材１０６に対して摺動しながら回動する。この際に、図１３に示すように、カム突起１０６ａがカム溝１１６ｄから徐々に押し出されていき、カバー保持部材１０６、中継部材１０４および軸受部材１０２が、結束機本体４の左方向（すなわち、固定軸受部９６から離れる方向）に一体的に移動していく。なお、この状態で鉄筋結束機２の使用者がカバー本体１１６ａから手を離すと、圧縮バネ１０８の付勢力によってカム突起１０６ａをカム溝１１６ｄの内部に押し込む方向の力が作用し、カバー１１６が閉じる方向に回動して、カバー１１６は閉じた状態に戻る。図１３に示す状態から、鉄筋結束機２の使用者が、圧縮バネ１０８の付勢力に抗してカバー本体１１６ａをさらに後方に引き起こすと、図１４に示すように、カム突起１０６ａがカム溝１１６ｄから完全に抜け出た状態となり、カム突起１０６ａは左側取付部１１６ｃのカム溝１１６ｄが形成されていない箇所に当接して摺動する。なお、この状態で鉄筋結束機２の使用者がカバー本体１１６ａから手を離しても、カム突起１０６ａはカム溝１１６ｄから外れた位置にあるため、圧縮バネ１０８の付勢力がカバー１１６を閉じる方向の力として作用することはなく、カバー１１６は現在の開き角度をそのまま維持する。図１４に示す状態から、鉄筋結束機２の使用者が、カバー本体１１６ａをさらに後方に引き起こすと、図１５に示すように、カバー１１６が完全に開いた状態となる。
【００４８】
図１５に示すカバー１１６が完全に開いた状態から、鉄筋結束機２の使用者が、カバー本体１１６ａを掴んで、カバー本体１１６ａを前方に押し倒すと、右側取付部１１６ｂがカバー保持部９８に対して摺動しながら回動するとともに、左側取付部１１６ｃがカバー保持部材１０６に対して摺動しながら回動する。そして、図１４、図１３に示すように、カバー１１６の回動によって、カム突起１０６ａがカム溝１１６ｄから完全に抜け出た状態から、カム突起１０６ａがカム溝１１６ｄに入り込んだ状態となると、圧縮バネ１０８の付勢力によって、軸受部材１０２と、中継部材１０４と、カバー保持部材１０６が、結束機本体４の右方向（すなわち、固定軸受部９６に近づく方向）に向けて一体的に移動する。また、圧縮バネ１０８の付勢力によって、カム突起１０６ａをカム溝１１６ｄの内部に押し込む方向の力が作用するので、鉄筋結束機２の使用者がカバー本体１１６ａから手を離しても、カバー１１６は閉じる方向に回動して、図１２に示すように、カバー１１６は完全に閉じた状態となる。
【００４９】
鉄筋結束機２にワイヤリール９を装着する手順について説明する。まず、使用者は、カバー１１６を開いた状態として、ワイヤリール９をリール装填室９４の上に載置する。図１６に示すように、この時点では、軸受部材１０２はワイヤリール９のリール装填室９４への出し入れの際にリール１０と干渉しない位置に配置されており、リール１０は固定軸受部９６や軸受部材１０２と係合することなく、リール装填室９４の底面上に載置される。この状態において、ワイヤリール９はリール支持機構３０に着脱可能に支持されているといえる。その後、使用者は、リール１０からワイヤ１１を引き出し、ワイヤ送り機構３２にワイヤ１１をセットする。その後、使用者がカバー１１６を閉じると、軸受部材１０２が固定軸受部９６に近づく方向にリール１０の軸受溝１０ｃと係合する位置まで移動し、図１０に示すように、軸受部材１０２がリール１０の軸受溝１０ｃに係合するとともに、リール１０の軸受溝１０ｂが固定軸受部９６に係合することで、ワイヤリール９がリール支持機構３０に着脱不能に支持される。
【００５０】
図１０に示すように、鉄筋結束機２にワイヤリール９が装着された状態では、固定軸受部９６と軸受部材１０２によってリール１０が回転可能に支持されている。ワイヤ送り機構３２によってリール１０からワイヤ１１が引き出される際には、固定軸受部９６に対してリール１０が摺動し、かつ軸受部材１０２に対してリール１０が摺動して、リール１０が回転する。なお、固定軸受部９６をインナハウジング１６に対して回転可能として、固定軸受部９６に対してリール１０が摺動することなくリール１０が回転するように構成してもよいし、軸受部材１０２に対してリール１０が摺動することなくリール１０が回転するように構成してもよい。
【００５１】
鉄筋結束機２からワイヤリール９を取り外す手順について説明する。使用者が、カバー１１６を開くと、軸受部材１０２が固定軸受部９６から離れる方向に移動することで、軸受部材１０２がリール１０の軸受溝１０ｃから離反するとともに、リール１０の軸受溝１０ｂが固定軸受部９６から離反して、リール１０はリール装填室９４の底面上に載置された状態となる。図１６に示すように、この状態では、軸受部材１０２は、ワイヤリール９のリール装填室９４への出し入れの際にリール１０と干渉しない位置まで移動している。使用者は、リール１０から伸びるワイヤ１１をワイヤ送り機構３２から取り外した後、ワイヤリール９をリール装填室９４から取り出すことができる。
【００５２】
以下ではワイヤリール９の製造方法について説明する。図１８に示すように、ワイヤリール９のリール１０は、ワイヤ１１が巻回される胴部１５０と、胴部１５０の両端に設けられた鍔部１５２、１５４を備えている。リール１０は弾性材料である樹脂製であり、胴部１５０と鍔部１５２、１５４は一体的に継ぎ目なく形成されている。胴部１５０は、略円筒形状を有している。鍔部１５２、１５４は、略円盤形状を有している。一方の鍔部１５２には、係合部１０ａと、軸受溝１０ｂ（図１０、図１６参照）が形成されている。他方の鍔部１５４には、軸受溝１０ｃが形成されている。胴部１５０の中心軸と、鍔部１５２、１５４の中心軸は、リール１０が鉄筋結束機２の固定軸受部９６と軸受部材１０２によって回転可能に支持された時の回転軸に略一致する。
【００５３】
ワイヤリール９において、ワイヤ１１は、リール１０の胴部１５０に多層で巻回されている。図１９に示すように、ワイヤ１１は、一層目において、リール１０の胴部１５０の外周面上に、一方の鍔部１５２から他方の鍔部１５４に向かう螺旋状に巻回されている。図２０に示すように、ワイヤ１１は、一層目が他方の鍔部１５４まで到達した箇所から二層目に移行し、胴部１５０にすでに巻回されたワイヤ１１（すなわち一層目のワイヤ１１）の外周面上に、他方の鍔部１５４から一方の鍔部１５２に向かう螺旋状に巻回されている。ワイヤ１１はさらに、二層目が他方の鍔部１５４まで到達した箇所から三層目に移行し、胴部１５０にすでに巻回されたワイヤ１１（すなわち二層目のワイヤ１１）の外周面上に、一方の鍔部１５２から他方の鍔部１５４に向かう螺旋状に巻回されている。このように、本実施例のワイヤリール９において、ワイヤ１１はリール１０の胴部１５０に、多層に巻回されている。
【００５４】
図１７に示すように、未使用のワイヤリール９においては、ワイヤ１１の先端１１ａから所定長さＬの位置に、係合部１１ｂが形成されている。係合部１１ｂでは、後に巻回されたワイヤ１１が、先に巻回されたワイヤ１１より沈み込むことで、後に巻回されたワイヤ１１と先に巻回されたワイヤ１１が係合しており、後に巻回されたワイヤ１１の胴部１５０から離れる方向への移動（すなわち、胴部１５０の半径方向外側に向けた移動）が禁止されている。言い換えると、係合部１１ｂでは、先端１１ａからの長さが短い箇所のワイヤ１１が、先端１１ａからの長さが長い箇所のワイヤ１１よりも沈み込むことで、先端１１ａからの長さが長い箇所のワイヤ１１と係合して、胴部１５０から離れる方向への移動が禁止されている。本実施例のワイヤリール９は、係合部１１ｂを有することによって、鉄筋結束機２にリール１０およびワイヤ１１をセットする前にワイヤ１１が緩んでしまうことを防止することができる。なお、ワイヤ１１の係合部１１ｂは、使用者が後に巻回されたワイヤ１１（すなわち、先に巻回されたワイヤ１１より沈み込んでいるワイヤ１１）を胴部１５０から離れる方向へ強く引くことで解くこともできるし、鉄筋結束機２にリール１０およびワイヤ１１をセットして、送りモータ４４の駆動によってリール１０からワイヤ１１を引き出すことで解くこともできる。
【００５５】
図２１に示すように、ワイヤリール９を製造する際には、まずワイヤ１１が巻回されていないリール１０を準備して、リール１０をリール保持治具１６０に取り付ける。そして、ワイヤ供給源（図示せず）から供給されるワイヤ１１の先端を、ワイヤ送り治具１６２を介して、リール１０の胴部１５０に固定する。その後、リール保持治具１６０によってリール１０を回転させながら、ワイヤ送り治具１６２によってワイヤ１１の送り位置を上下方向（胴部１５０の中心軸方向に沿う方向）に往復移動させることで、ワイヤ１１がリール１０の胴部１５０に巻回されていく。
【００５６】
図２２に示すように、ワイヤ１１がリール１０の胴部１５０に十分に巻回されると、リール保持治具１６０によってリール１０を回転させつつ、ワイヤ送り治具１６２によってワイヤ１１を拘束して、ワイヤ１１の送り出しを停止する。これによって、リール保持治具１６０とワイヤ送り治具１６２の間のワイヤ１１に大きな張力が作用し、図２３に示すように、ワイヤ送り治具１６２からの張力を受けたワイヤ１１’が、すでに巻回された下層側のワイヤ１１を押しのけるようにして、胴部１５０に向けて沈み込みながら巻回される。これによって、後に巻回されたワイヤ１１’が、先に巻回されたワイヤ１１と係合して、係合部１１ｂが形成される。その後、リール保持治具１６０によってリール１０を回転させつつ、ワイヤ送り治具１６２によるワイヤ１１の拘束を解除して、ワイヤ１１の送り出しを再び行う。係合部１１ｂから所定長さの箇所でワイヤ１１を切断することで、ワイヤリール９が完成する。
【００５７】
ワイヤリール９における、ワイヤ１１の先端１１ａから係合部１１ｂまでの長さについては、種々の長さとすることができる。例えば、ワイヤ１１の先端１１ａから係合部１１ｂまでの長さを、ワイヤリール９が鉄筋結束機２に装着された時の、リール１０からのワイヤ１１の送り出し位置から主動ギヤ４６および従動ギヤ４８による挟持位置までの長さ（例えば８０ｍｍ）以上としてもよい。この場合、使用者がワイヤリール９をリール装填室９４上に載置して、リール１０から引き出したワイヤ１１の先端１１ａを、ガイド部材４２の貫通孔４２ａを通して主動ギヤ４６と従動ギヤ４８の間に配置するまでの間、係合部１１ｂによってワイヤ１１の緩みが防止されるので、使用者の作業性を向上することができる。あるいは、ワイヤ１１の先端１１ａから係合部１１ｂまでの長さを、ワイヤリール９が鉄筋結束機２に装着された時の、リール１０からのワイヤ１１の送り出し位置からカッタ７０の通過位置までの長さ（例えば２７０ｍｍ）以上としてもよい。ワイヤ１１の先端１１ａがカッタ７０の通過位置に到達するようにワイヤ１１をセットする場合、使用者が上側カールガイド６０を下方から覗き込むことでワイヤ１１の先端１１ａがカッタ７０を通過していることを視認でき、かつ最初の結束動作におけるワイヤ１１の長さを確保することができる。上記の構成によれば、ワイヤ１１の先端１１ａがカッタ７０の通過位置に到達するようにワイヤ１１をセットするまでの間、係合部１１ｂによってワイヤ１１の緩みが防止されるので、使用者の作業性を向上することができる。あるいは、ワイヤ１１の先端１１ａから係合部１１ｂまでの長さを、ワイヤリール９が鉄筋結束機２に装着された時の、リール１０からのワイヤ１１の送り出し位置から上側カールガイド６０の通過位置までの長さ（例えば３００ｍｍ）以上としてもよい。ワイヤ１１の先端１１ａが上側カールガイド６０の通過位置に到達するようにワイヤ１１をセットする場合、使用者はワイヤ１１の先端１１ａが上側カールガイド６０を通過していることを容易に視認でき、かつ最初の結束動作におけるワイヤ１１の長さを確保することができる。上記の構成によれば、ワイヤ１１の先端１１ａが上側カールガイド６０の通過位置に到達するようにワイヤ１１をセットするまでの間、係合部１１ｂによってワイヤ１１の緩みが防止されるので、使用者の作業性を向上することができる。上記の何れの場合についても、使用者がワイヤリール９をリール装填室９４上に載置して、リール１０から引き出したワイヤ１１をセットし、カバー１１６を閉じると、軸受部材１０２がリール１０の軸受溝１０ｃに係合するとともに、リール１０の軸受溝１０ｂが固定軸受部９６に係合することで、固定軸受部９６と軸受部材１０２によってリール１０が回転可能に支持される。従って、その後にリール１０からワイヤ１１が引き出されて、係合部１１ｂが解けた場合でも、緩んだワイヤ１１がリール１０の回転軸に絡んでしまうことがない。
【００５８】
以上のように、本実施例のワイヤリール９は、鉄筋結束機２で使用されるものであって、リール１０と、リール１０に巻回されたワイヤ１１を備えている。ワイヤリール９は、後に巻回されたワイヤ１１’が、先に巻回されたワイヤ１１より沈み込むことで、後に巻回されたワイヤ１１’と先に巻回されたワイヤ１１が係合する係合部１１ｂを有している。この構成によれば、係合部１１ｂにおいて、後に巻回されたワイヤ１１’が、先に巻回されたワイヤ１１と係合しており、リール１０から離れる方向に移動することが禁止されるので、リール１０に巻回されたワイヤ１１が緩んでしまうことを防止することができる。この構成によれば、ワイヤ１１にコーティング剤を塗布することなく、リール１０に巻回されたワイヤ１１の緩みを防止することができる。
【００５９】
本実施例のワイヤリール９では、リール１０は、ワイヤ１１が巻回される胴部１５０と、胴部１５０の両端に設けられた鍔部１５２、１５４を備えている。この構成によれば、胴部１５０に巻回されたワイヤ１１の胴部１５０に沿う方向への移動が、両側の鍔部１５２、１５４によって規制されるので、後に巻回されたワイヤ１１’を先に巻回されたワイヤ１１より沈み込ませた時に、後に巻回されたワイヤ１１’と先に巻回されたワイヤ１１を確実に係合させることができる。
【００６０】
本実施例のワイヤリール９では、係合部１１ｂにおいて、後に巻回されたワイヤ１１’が、先に巻回されたワイヤ１１と、鍔部１５２に係合している。この構成によれば、後に巻回されたワイヤ１１’を先に巻回されたワイヤ１１より沈み込ませる際に、鍔部１５２をガイドとして利用することができ、後に巻回されたワイヤ１１’を先に巻回されたワイヤ１１より沈み込ませることが容易となる。
【００６１】
本実施例のワイヤリール９では、鍔部１５２、１５４の少なくとも一部は、弾性材料からなる。この構成によれば、鍔部１５２、１５４が弾性変形することで、後に巻回されたワイヤ１１’を先に巻回されたワイヤ１１より沈み込ませることが容易となる。また、この構成によれば、鍔部１５２、１５４の弾性復元力によって、後に巻回されたワイヤ１１’と先に巻回されたワイヤ１１の係合が維持されるので、リール１０に巻回されたワイヤ１１の緩みをより確実に防止することができる。
【００６２】
本実施例のワイヤリール９では、ワイヤ１１の先端１１ａからワイヤ１１の係合部１１ｂまでの長さは、所定長さ以上、例えば８０ｍｍ以上、あるいは２７０ｍｍ以上、あるいは３００ｍｍ以上である。これらの構成では、ワイヤ１１の先端１１ａからワイヤ１１の係合部１１ｂまでの長さを、使用者が鉄筋結束機２にリール１０およびワイヤ１１をセットする作業において引き出す必要があるワイヤ１１の長さより長くすることで、使用者が鉄筋結束機２にリール１０およびワイヤ１１をセットする作業を行っている間に、ワイヤ１１が緩んでしまうことを防止することができる。
【００６３】
本実施例のワイヤリール９の製造方法は、ワイヤ１１の一端をリール１０に固定する工程と、リール１０を回転させながらワイヤ１１を送り出すことで、リール１０にワイヤ１１を巻回する工程と、リール１０を回転させながらワイヤ１１の送り出しを停止することで、後に巻回されたワイヤ１１’を、先に巻回されたワイヤ１１より沈み込ませて、後に巻回されたワイヤ１１’と先に巻回されたワイヤ１１を係合させる工程を備えている。本実施例の製造方法によれば、リール１０を回転させながらワイヤ１１を送り出して、リール１０にワイヤ１１を巻回した後に、リール１０を回転させながらワイヤ１１の送り出しを停止することで、ワイヤ１１に大きな張力を作用させて、それによって、後に巻回されたワイヤ１１’を、先に巻回されたワイヤ１１より沈み込ませて、後に巻回されたワイヤ１１’と先に巻回されたワイヤ１１を係合させることができる。本実施例の製造方法によれば、ワイヤ１１にコーティング剤を塗布することなく、リール１０に巻回されたワイヤ１１の緩みを防止することができる。
【００６４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６５】
２        ：鉄筋結束機
４        ：結束機本体
６        ：グリップ
７        ：トリガ
８        ：バッテリ取り付け部
９        ：ワイヤリール
１０      ：リール
１０ａ    ：係合部
１０ｂ    ：軸受溝
１０ｃ    ：軸受溝
１１      ：ワイヤ
１１’    ：ワイヤ
１１ａ    ：ワイヤの先端
１１ｂ    ：係合部
１２      ：右アウタハウジング
１４      ：左アウタハウジング
１４ａ    ：貫通穴
１４ｂ    ：凹部
１６      ：インナハウジング
１８      ：第１操作表示部
２０      ：メインスイッチ
２２      ：主電源ＬＥＤ
２４      ：第２操作表示部
２６      ：設定ボタン
２８      ：表示部
３０      ：リール支持機構
３２      ：ワイヤ送り機構
３４      ：ワイヤ案内機構
３６      ：ブレーキ機構
３８      ：ワイヤ切断機構
４０      ：ワイヤ捩り機構
４２      ：ガイド部材
４２ａ    ：貫通孔
４３      ：ベース部材
４４      ：送りモータ
４６      ：主動ギヤ
４６ａ    ：Ｖ字形状溝
４７      ：減速機構
４８      ：従動ギヤ
４８ａ    ：Ｖ字形状溝
５０      ：リリースレバー
５０ａ    ：ギヤアーム
５０ｂ    ：操作アーム
５０ｃ    ：揺動軸
５２      ：圧縮バネ
５４      ：レバーホルダ
５４ａ    ：バネ受け部
５６      ：固定レバー
５６ａ    ：揺動軸
５６ｂ    ：凹部
５８      ：案内パイプ
６０      ：上側カールガイド
６２      ：下側カールガイド
６４      ：第１案内通路
６６      ：第２案内通路
６８      ：案内ピン
７０      ：カッタ
７２      ：第３案内通路
７２ａ    ：右側案内壁
７２ｂ    ：左側案内壁
７４      ：上側案内壁
７６      ：ソレノイド
７８      ：リンク
８０      ：ブレーキアーム
８１      ：捩りバネ
８２      ：リンク
８４      ：捩りモータ
８６      ：減速機構
８８      ：スクリューシャフト
９０      ：スリーブ
９２      ：フック
９４      ：リール装填室
９６      ：固定軸受部
９８      ：カバー保持部
１００    ：可動軸受部
１０２    ：軸受部材
１０４    ：中継部材
１０４ａ  ：凸部
１０６    ：カバー保持部材
１０６ａ  ：カム突起
１０８    ：圧縮バネ
１１０    ：締結具
１１２    ：締結具
１１６    ：カバー
１１６ａ  ：カバー本体
１１６ｂ  ：右側取付部
１１６ｃ  ：左側取付部
１１６ｄ  ：カム溝
１３４    ：制御基板
１５０    ：胴部
１５２    ：鍔部
１５４    ：鍔部
１６０    ：リール保持治具
１６２    ：ワイヤ送り治具
【図１】
2019007168.tif 000003
【図２】
2019007168.tif 000004
【図３】
2019007168.tif 000005
【図４】
2019007168.tif 000006
【図５】
2019007168.tif 000007
【図６】
2019007168.tif 000008
【図７】
2019007168.tif 000009
【図８】
2019007168.tif 000010
【図９】
2019007168.tif 000011
【図１０】
2019007168.tif 000012
【図１１】
2019007168.tif 000013
【図１２】
2019007168.tif 000014
【図１３】
2019007168.tif 000015
【図１４】
2019007168.tif 000016
【図１５】
2019007168.tif 000017
【図１６】
2019007168.tif 000018
【図１７】
2019007168.tif 000019
【図１８】
2019007168.tif 000020
【図１９】
2019007168.tif 000021
【図２０】
2019007168.tif 000022
【図２１】
2019007168.tif 000023
【図２２】
2019007168.tif 000024
【図２３】
2019007168.tif 000025